(57)【要約】【課題】絶対座標をコード化したパターンが記録されている用紙でできているノートが残り少なくなると自動的に発注を行う手段を提供すること。【解決手段】画像データ記憶手段と、座標管理手段と、割り振られた座標からコードパターンを作成するコードパターン作成手段と、コードパターンを合成する画像データ・コードパターン合成手段と、合成された画像データを情報付き用紙として印刷する画像形成手段と、用紙上の座標データを読み取る座標読み取り手段と、読み取った連続座標データを記憶しておく軌跡情報記憶手段と、軌跡情報を送信する手段と、軌跡情報を受信する手段と、軌跡情報を処理する端末を備えた画像形成システムにおいて、受信した軌跡情報から情報付き用紙でできたノートの何ページ目に記入を行っているかを判断し、最終ページを使用した場合自動的に情報付き用紙を印刷する手段を備える。【選択図】図１
2006174354.tif 000002
【特許請求の範囲】
【請求項１】
画像データを記憶しておく画像データ記憶手段と、絶対座標を一元的に管理し、ユーザの要求ごとに領域を割り振る座標管理手段と、前記座標管理手段によって割り振られた座標からコードパターンを作成するコードパターン作成手段と、前記画像データ記憶手段に記憶してある画像データに前記コードパターン作成手段によって作成されたコードパターンを合成する画像データ・コードパターン合成手段と、前記画像データ・コードパターン合成手段で合成された画像データを情報付き用紙として印刷する画像形成手段と、前記情報付き用紙上の座標データを読み取る座標読み取り手段と、前記座標読み取り手段によって読み取った連続座標データを記憶しておく軌跡情報記憶手段と、前記軌跡情報を送信する手段と、前記軌跡情報を受信する手段と、前記受信手段によって受信された前記軌跡情報を処理する端末を備えた画像形成システムにおいて、
前記受信した軌跡情報から前記情報付き用紙でできたノートの何ページ目に記入を行っているかを判断し、最終ページを使用した場合自動的に情報付き用紙を印刷する手段を備えたことを特徴とする画像形成システム。
【請求項２】
前記軌跡情報を発信する手段から最も近い画像形成装置に前記情報付き用紙を印刷することを特徴とする請求項１記載の画像形成システム。
【請求項３】
前記情報付き用紙から成るノートにおいて、前記情報付き用紙の自動印刷を開始するページ番号を設定可能であることを特徴とする請求項１記載の画像形成システム。
【請求項４】
前記設定されたページ番号以降のページを継続して使用している場合に情報付き用紙の印刷を開始することを特徴とする請求項３記載の画像形成システム。
【発明の詳細な説明】
【技術分野】
【０００１】
本発明は、複写機やプリンタ等の画像形成装置における画像形成システムに関するものである。
【背景技術】
【０００２】
従来、情報付き用紙と専用の座標読み取りデバイスを組み合わせた技術が知られている。例えば、特許文献１によれば、絶対座標をコード化したパターンが記録されている用紙上で、専用のペンをユーザが移動させると、１点又は複数の絶対座標データ（ｘ，ｙ）が記録され、この記録情報がネットワークを介して中央装置で解析された結果、ユーザの筆跡情報が得られるシステムが提案されている。
【０００３】
このようなシステムで使用される絶対座標をコード化したパターンを用紙にプリントするプリンタや複写機が実現されている。
【０００４】
【特許文献１】ＷＯ０１４８５９１号公報
【発明の開示】
【発明が解決しようとする課題】
【０００５】
上述の絶対座標をコード化したパターンが記録されている複数の用紙から成るノートは、特殊紙であるがために無くなってから発注しても納入までに相当の時間が掛かってしまう。
【０００６】
本発明は上記問題に鑑みてなされたものであり、前述した絶対座標をコード化したパターンが記録されている用紙でできているノートが残り少なくなると自動的に発注を行う手段を提供することを目的としている。
【課題を解決するための手段】
【０００７】
上記目的を達成するため、本発明は、画像データを記憶しておく画像データ記憶手段と、絶対座標を一元的に管理し、ユーザの要求ごとに領域を割り振る座標管理手段と、前記座標管理手段によって割り振られた座標からコードパターンを作成するコードパターン作成手段と、前記画像データ記憶手段に記憶してある画像データに前記コードパターン作成手段によって作成されたコードパターンを合成する画像データ・コードパターン合成手段と、前記画像データ・コードパターン合成手段で合成された画像データを情報付き用紙として印刷する画像形成手段と、前記情報付き用紙上の座標データを読み取る座標読み取り手段と、前記座標読み取り手段によって読み取った連続座標データを記憶しておく軌跡情報記憶手段と、前記軌跡情報を送信する手段と、前記軌跡情報を受信する手段と、前記受信手段によって受信された前記軌跡情報を処理する端末を備えた画像形成システムにおいて、前記受信した軌跡情報から前記情報付き用紙でできたノートの何ページ目に記入を行っているかを判断し、最終ページを使用した場合自動的に情報付き用紙を印刷する手段を備えたことを特徴とする。
【発明の効果】
【０００８】
本発明によれば、特殊な情報付き用紙が無くなりそうになると自動で出力を行うことができる。又、情報付き用紙の使用者から最も近い位置にある画像形成装置から出力を行うことができるようになる。更に、情報付き用紙上でどの方向に文字を記入しているかを判断することで、情報付き用紙からなるノートの自動発注の際に、右開きであるか、左開きであるかを自動選定可能となる。
【発明を実施するための最良の形態】
【０００９】
＜実施の形態１＞
以下、本発明の実施の形態１に係る画像処理システムについて、構成要素毎に説明する。
【００１０】
＜情報付き用紙を使用したシステム＞
本実施の形態を適用するのに好適な情報付き用紙の代表的な利用例を図１に示す。
【００１１】
この利用例は、情報付き用紙１０、座標読み取りデバイス２０、通信経路３０、サーバユニット４０、絶対座標コード元情報５０及び端末６０から構成されるシステムであり、ユーザが情報付き用紙１０上をペン状の座標読み取りデバイス２０でなぞると、その軌跡を端末６０上で表示することができる。
【００１２】
情報付き用紙１０には、紙面上に２次元の絶対座標をコード化したものが全面又は必要箇所に印刷されている。この絶対座標を示すコードパターンは、非常に広大な面積に相当する絶対座標をコード化した絶対座標コード元情報５０から規定の一部分を切り取って利用するものである。絶対座標コード区分５１から５５は利用者または用途別に区分けされた範囲の例を表している。絶対座標コードの印刷に使われるインク又はトナーは、後述する座標読み取りデバイス２０内のセンサに適応する反射率特性を持ったものである。
【００１３】
座標読み取りデバイス２０は、先端に上記コードパターンを検知するための図示しないセンサと、通常のペンが備えられており、ユーザが紙面上に記入するのと全く同じ感覚で利用できるデバイスである。
【００１４】
ユーザが情報付き用紙１０上で座標読み取りデバイス２０を移動させると、１つ以上の座標点を含む情報として記録される。記録された情報は、有線又は無線のネットワークである通信経路３０を介して、サーバユニット４０に対して自動的或は送信指示に従って伝達される。サーバユニット４０に備えられているメモリ４２には、絶対座標コード元情報５０とその区分けに関する情報、受信した座標情報を元にＣＰＵ４１が処理するためのソフトウェアが格納されている。
【００１５】
ＣＰＵ４１は、メモリ４２に格納されている情報と座標読み取りデバイス２０から受信した情報を利用してメモリ４２に格納されているソフトウェアを実行する。このソフトウェアで、座標情報のセットとして受信した用紙上にユーザが描いた軌跡をビットマップ形式或はベクター形式等の画像情報として扱える形式に変換し、又、必要に応じて従来から知られている文字認識処理によって文字コード列を生成する。その後、処理で得られた結果を指定されたファイル形式で端末６０に送信、或はデータ列を端末６０で実行可能な指定のアプリケーションに送信する。
【００１６】
＜情報付き用紙＞
図２は本実施の形態で用いられる情報付き用紙の例である。
【００１７】
情報付き用紙１１に示された２次元座標１３の列は概念図であり、実際には情報付き用紙１２のようなドットパターン１４がマトリクス状に印刷されている。ドットパターン１４は、２次元の絶対座標を数値化した値をドット配置の組み合わせで表したものであり、追記が行われる可能性がある領域に印刷される。本実施の形態では、１つの座標を縦横６つのドットマトリクス１４Ｄで構成するケースで説明する。
【００１８】
図３はドットパターン１４を構成するドット１６の例である。
【００１９】
座標点１５の上下左右のどこにドット１６が置かれているかによって、二進数で００から１１、十進数で０から３までの各数字を示す。図１のシステムで１つの座標を縦横６つのドットのマトリクス１４Ｄで構成した場合、２の７２乗の組み合わせが考えられる。
【００２０】
本実施の形態では、縦横６つのドットのマトリクスで１つの座標を構成するものとしたが、この数を増やすことで、座標の表現範囲を増やすことができる。又、１つの座標点について、複数のドットの組み合わせを利用する方法によっても、同様の効果が得られる。
【００２１】
図４はドットパターン14を構成するドット１６の例のうち、複数のドットを組み合わせ座標の表現範囲を増やす例である。
【００２２】
座標点中心ドット１８の上下左右及びそれぞれの斜め方向のどこにドット１９が置かれるかによって、二進数で０００から１１１、十進数で０から７までの各数字を示す。この方式でマトリクス１４Ｄを構成した場合、２の１０８乗の組み合わせが考えられる。
【００２３】
前記ドットパターン１４は、紙面上にマトリクス状に配置され、それぞれ配置された座標情報を保持する。本実施の形態では、マトリクス状に配置されているが、例えばハニカム状に配置したり、配置位置を浮動的に決定したりする実施例も容易に実現できる。
【００２４】
前記ドットパターン１４は、ＩＤペン内のセンサに適応する反射率特性を持ったインク、トナーによって印刷されることで、ＩＤペンによって識別されることが可能になる。
【００２５】
図５は図３の方式のドットパターンでの座標表現例の一部である。図６は図４の方式のドットパターンでの座標表現例の一部である。
【００２６】
一般に以上のように利用される情報付き用紙１０をプリントするときの本発明に特有な処理を、この後説明するデジタル複合機で行う。
【００２７】
＜デジタル複合機制御システム構成＞
本実施の形態を適用するのに好適なデジタル複合機の制御システム構成を図７に示す。
【００２８】
コントローラユニット１００は、画像入力装置であるスキャナ２００や画像出力装置であるプリンタ３００と接続され、一方ではＬＡＮ５００や電話回線６００と接続することで、画像情報やデバイス情報の入出力を行うためのコントローラである。
【００２９】
ＣＰＵ１０３は、デジタル複合機全体を制御するコントローラとして機能する。ＲＡＭ１０７は、ＣＰＵ１０３が動作するためのシステムワークメモリであり、画像データを一時記憶するための画像メモリとしても利用される。ＲＯＭ１０８は、ブートＲＯＭとして利用され、デジタル複合機のブートプログラムが格納されている。
【００３０】
ＨＤＤ１０９は、ハードディスクドライブで、システムソフトウェア、画像データ等を格納する。
【００３１】
操作部Ｉ／Ｆ１０４は、操作部４００とのインターフェース部で、操作部４００に表示する画像データを操作部４００に対して出力する。又、操作部４００からユーザが入力した情報をＣＰＵ１０３に伝える役割を果たす。
【００３２】
ネットワークＩ／Ｆ１０５は、ＬＡＮ５００に接続され、情報の入出力を行う。ＭＯＤＥＭ１０６は公衆回線６００に接続し、データ送受信を行うための変調復調処理を行う。
【００３３】
以上のデバイスがシステムバス１０１上に配置される。
【００３４】
イメージバスＩ／Ｆ１１０は、システムバス１０１と画像データを高速で転送するイメージバス１０２を接続され、データ構造を変換するバスブリッジである。
【００３５】
イメージバス１０２は、ＰＣＩバス又はＩＥＥＥ１３９４等の高速バスで構成される。
【００３６】
イメージバス１０２上には以下のデバイスが配置される。ラスターイメージプロセッサ（ＲＩＰ）１１１は、ＰＤＬコードをビットマップイメージに展開する。デバイスＩ／Ｆ部１１２は、画像入出力デバイスであるスキャナ２００やプリンタ３００とコントローラ１００を接続し、画像データの同期系／非同期系の変換を行う。スキャナ画像処理部７００は、入力画像データに対し補正、加工、編集を行う。プリンタ画像処理部８００は、プリント出力画像データに対して、プリンタに合わせた補正、解像度変換等を行う。画像圧縮部１１５は、多値画像データはＪＰＥＧ、２値画像データはＪＢＩＧ、ＭＭＲ、ＭＨの圧縮伸張処理を行う。
【００３７】
＜画像入力部（スキャナ）＞
画像入力部であるスキャナの概観図を図８に示す。
【００３８】
画像入力デバイスであるスキャナ部２００は、原稿となる紙上の画像を照明し、図示しないＣＣＤラインセンサを走査することで、ラスターイメージデータとして電気信号に変換する。原稿用紙は原稿フィーダ２０１のトレイ２０２にセットし、ユーザが操作部４００から読み取り起動指示することにより、コントローラＣＰＵ１０３がスキャナ２００に指示を与え、フィーダ２０１は原稿用紙を１枚ずつフィードし原稿画像の読み取り動作を行う。
【００３９】
＜画像出力部（プリンタ）＞
画像出力部であるプリンタの概観図を図９に示す。
【００４０】
画像出力デバイスであるプリンタ部３００はラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動はコントローラＣＰＵ１０３からの指示によって開始する。プリンタ部３００は、異なる用紙サイズ又は異なる用紙向きを選択できるように複数の給紙段を持ち、それに対応した用紙カセット３０２，３０３，３０４，３０５が装着される。又、排紙トレイ３０６は印字し終わった記録紙を受けるものである。
【００４１】
記録紙の両面に印字する場合は、片面に画像を印字した後にプリンタ３００内で記録紙を反転する。その後、ＣＰＵ１０３からの指示に従い、未だ印字されていない面に画像を印字する。
【００４２】
プリンタ３００にフィニッシャ３１０が装着されている場合は、印字された記録紙はフィニッシャ３１０に搬送される。フィニッシャ３１０にはステイプラユニット３１１（後処理ユニット）が装着されている。このステイプラユニット３１１によって５０枚の記録紙を綴じたり、１００枚の記録紙を綴じたりできる。
【００４３】
フィニッシャ３１０には排紙トレイ３１２から３１４及びサンプルトレイ３１５が装着されている。通常の排紙ではジョブの種類等に応じて排紙トレイ３１２から３１４に出力されるが、試し印刷やジャム用紙の排紙にはサンプルトレイ３１５が使用される。サンプルトレイ３１５を使用することにより、排紙トレイ３１２から３１４に出力される通常ジョブの出力束中にジャム紙等の余分な記録紙の混在を防ぐことができる。
【００４４】
＜スキャナ画像処理部＞
スキャナ画像処理部７００の構成を図１０に示す。
【００４５】
イメージバスＩ／Ｆコントローラ７０１は、イメージバス１０２と接続し、そのバスアクセスシーケンスを制御する働きと、スキャナ画像処理部７００内の各デバイスの制御及びタイミングを発生させる。パターン検出前処理部７０２は、ＣＰＵ１０３で実行される情報付き用紙検出プログラムに入力するための画像信号を生成する。この信号生成の詳細は後述する。
【００４６】
像域分離処理部７０３は、入力画像から文字部を検出することにより、像域を判定し、その後の画像処理に利用する像域信号を生成する。テーブル処理部７０４は、読み取った輝度データである画像データを濃度データに変換するために、テーブル変換を行う。フィルタ処理部７０５は、エッジ強調等の目的に従ったデジタル空間フィルタでコンボリューション演算を行う。編集部７０６は、例えば入力画像データからマーカーペンで囲まれた閉領域を認識して、その閉領域内の画像データに対して、影つけ、網掛け、ネガポジ反転等の画像加工処理を行う。
【００４７】
処理が終了した画像データは、再び画像Ｉ／Ｆバスコントローラ７０１を介して、イメージバス１０２上に転送される。
【００４８】
＜プリンタ画像処理部＞
プリンタ画像処理部８００の構成を図１１に示す。
【００４９】
イメージバスＩ／Ｆコントローラ８０１は、イメージバス１０２と接続し、そのバスアクセスシーケンスを制御する働きと、プリンタ画像処理部８００内の各デバイスの制御及びタイミングを発生させる。下地除去処理部８０２は、背景に薄い色がある原稿を読み取った画像データ等が送られてきた場合に背景色を除去する。色変換処理部８０３は、プリンタの出力特性に合わせた色変換を行う。解像度変換部８０４は、ＬＡＮ５００或は電話回線６００から受信した画像データを、プリンタ３００の解像度に変換するための解像度変換を行う。スムージング処理部８０５は、解像度変換後の画像データのジャギー（斜め線等の白黒境界部に現れる画像のがさつき）を滑らかにする処理を行う。
【００５０】
＜操作部＞
図１２に本実施の形態を適用するのに好適なデジタル複合機の操作部４００を示す。液晶操作パネル４０１は液晶にタッチパネルを組み合わせたものであり、設定内容の表示、ソフトキーの表示等がなされるものである。スタートキー４０２は、コピー動作等を開始指示するためのハードキーであり、内部に緑色及び赤色のＬＥＤが組み込まれており、スタート可能のときに緑色、スタート不可のときに赤色のＬＥＤが点灯する。ストップキー４０３は動作を停止させるときに使用するハードキーである。ハードキー群４０４には、テンキー、クリアキー、リセットキー、ガイドキー、ユーザモードキーが設けられている。
【００５１】
図１３はプリンタ３００の断面図である。
【００５２】
図１３において、画像形成部は、感光ドラム１０１２と、感光ドラム１０１２の表面に均一な帯電を施すための帯電器１０１３と、帯電器１０１３により帯電された感光ドラム１０１２の表面に反射ミラー１０１０を通してレーザユニット１０１１から照射される光像により形成された静電潜像を現像して記録紙に転写すべきトナー像を形成するための現像器１０１４と、感光ドラム１０１２の表面に現像されたトナー像を記録紙に転写するための転写帯電器１０１５と、トナー像が転写された記録紙を感光ドラム１０１２から分離するための分離帯電器１０１６と、トナー像を転写した後、感光ドラム１０１２に残留したトナーを除去するためのクリーナ１０１７とを備えている。
【００５３】
画像形成部の下流側には、トナー像が転写された記録紙を搬送するための搬送部１０１８と、搬送部１０１８により搬送される記録紙上の像を永久画像として定着するための定着器１０１９が設けられている。又、定着器１０１９で像が定着された記録紙をプリンタ３００から排出するための排紙ローラ１０２０が設けられており、更に、プリンタ３００の外側には排紙ローラ１０２０で排出された記録紙を受け取るための排出トレイ３０６が設けられている。
【００５４】
複数枚の記録紙を積載収納する給紙カセット３０２〜３０５の上部には、積載された記録紙の吸湿を防止するためのカセットヒータ１０２６が設けられている。給紙カセット３０２から３０５に積載された記録紙は、それぞれの給紙ローラ１０３０によって給紙され、回転停止して入るレジストローラ対１０３４に送られて斜行状態の矯正が行われる。
【００５５】
次いで、感光体ドラム１０１２上に形成される潜像とのタイミングを合せて、回転するレジストローラ対１０３４により感光体ドラム１０１２と転写帯電器１０１５との間に送られて、ここで感光体ドラム１０１２上のトナー像が転写される（画像形成）。
【００５６】
その後、記録紙は搬送ベルト１０１８により定着器（定着ローラ対）１０１９に送られて、ここで転写されたトナー像を記録紙面に定着させるための定着処理がなされる。
【００５７】
本プリンタ３００は、記録紙への両面プリントを行う両面プリントモードを備えているが、片面プリントモードの場合、定着処理後の記録紙は内排紙ローラ対１０３５とスイッチバックローラ対１０３６により、反転処理が行われ、排紙ローラ対１０２０により排紙トレイ３０６に排紙される。又、両面プリントモードの場合には、内排紙ローラ対１０３５とスイッチバックローラ対１０３６により、給紙カセット３０２の上部に配設された両面搬送パス１０３７を経て、再び画像形成のためにレジストローラ対１０３４に搬送され、以後、片面プリントと同一のプロセスを経て機外に排出される。両面プリントの場合、裏面（２面目）を先にプリントして後から表面（１面目）をプリントすることにより、表面プリント後の反転処理が必要なくなる。
【００５８】
図１４は本発明の情報付き用紙自動出力処理を示すフローチャートである。
【００５９】
ステップｓ１４−１で複数の情報付き用紙から成るノートをユーザが最初に使用する時に情報付き用紙上の決められたフォーム上で自動発注するページ数を決定する。図１５はその決められたフォームの一例である。
【００６０】
情報付き用紙１０上に自動発注を行うかどうかのチェックボックス１５１があり、発注を行う場合はチェックする。チェックしない場合は、自動発注を行わないことになるのでこのフローを終了する。チェックボックスをチェックした場合は、１５２で自動発注開始ページを入力する（ステップｓ１４−２）。１５２で何も記載しない場合は、最終ページが自動発注ページと設定される（ステップｓ１４−３）。そして、前記情報付き用紙で文字入力を行う（ステップｓ１４−４）。文字入力を行うことで情報付き用紙の座標情報をスキャンすることができる座標読み取りデバイス２０に軌跡情報を蓄積することができる。
【００６１】
ステップｓ１４−５で座標軌跡情報を座標読み取りデバイス２０から符号化された後に送信され、通信経路３０を通って端末６０に伝えられる。端末６０では、座標読み取りデバイス２０から送信された符号がどのノートＩＤに属するか情報付き用紙印刷時に記憶手段に記憶されているので、その情報からノートＩＤを検出することができる（ステップｓ１４−６）。そして、その記憶手段には各ノートＩＤにはどの情報付き用紙で構成されているかの情報を持っているので、座標読み取りデバイス２０で検出した座標情報から使用しているページ番号を検出することができる（ステップｓ１４−７）。そして、そのページ番号が、ステップｓ１４−２或はステップｓ１４−３で指定されたページに達しているかチェックする（ステップｓ１４−８）。達していなければ、再度ステップｓ１４−７に戻り、現時点のページを再検出する。
【００６２】
端末６０では、図１７で示すようなノートＩＤと最終ページ、発注開始ページをテーブルでもっており、ステップｓ１４−６でノートＩＤを認識することで、このノートは何ページで構成されているか、何ページ以降を使用したら発注を開始するかの情報が記憶されている。ステップｓ１４−８で設定ページ以降を使用していることを検出した時点で情報付き用紙から成るノートを自動発注する。
【００６３】
図１６は本発明を構成するシステムの概要であり、情報付き用紙１０には座標情報が印刷されており、複数枚集まってノート（冊子）となっている。座標読み取りデバイス２０で文字を記入することで軌跡情報を無線３０を使用して端末６０に送信する。前述の自動発注開始状態になると、端末６０は、ネットワーク９０を介して、業者８０に情報付き用紙から成るノートを発注する。
【００６４】
＜実施の形態２＞
実施の形態２として、図１８は図１４と殆ど同じフローである。違う点は業者に発注しないで情報付き用紙を使用しているユーザの近傍の画像形成装置７０から情報付き用紙から成るノートをプリントする点である。近傍の画像形成装置７０を検出する手段としては、それぞれの画像形成装置７０にＧＰＳを持たせ、又、前述の座標読み取りデバイス２０にもＧＰＳを持たせることで一番近い画像形成装置７０を認識することができる。
【００６５】
＜実施の形態３＞
実施の形態３を図１９を用いて説明する。
【００６６】
ステップｓ１９−１で設定ページ以降を使用した場合カウントされる係数Ｋに０を入れて初期化する。又、現在ノートの何ページ目を使用してるかを示す現在ページ番号を０を入れて初期化する。ステップｓ１９−２で情報付き用紙から成るノートをユーザが最初に使用する時に情報付き用紙上の決められたフォーム上で自動発注するページ数を決定する。図１５はその決められたフォームの一例である。
【００６７】
情報付き用紙１０上に自動発注を行うかどうかのチェックボックス１５１があり、発注を行う場合はチェックする。チェックしない場合は、自動発注を行わないことになるのでこのフローを終了する。チェックボックスをチェックした場合は、１５２で自動発注開始ページを入力する（ステップｓ１９−３）。１５２で何も記載しない場合は、最終ページが自動発注ページと設定される（ステップｓ１９−４）。そして、前記情報付き用紙で文字入力を行う（ステップｓ１９−５）。
【００６８】
文字入力を行うことで、情報付き用紙の座標情報をスキャンすることができる情報読み取りデバイス２０に軌跡情報を蓄積することができる。ステップｓ１９−６で軌跡情報を座標読み取りデバイス２０から符号化された後に送信され、通信経路３０を通って端末６０に伝えられる。端末６０では、座標読み取りデバイス２０から送信された符号がどのノートＩＤに属するか情報付き用紙印刷時に記憶手段に記憶されているので、その情報からノートＩＤを検出することができる（ステップｓ１９−７）。そして、その記憶手段では、或るノートＩＤはどの情報付き用紙で構成されているかの情報を持っているので、座標読み取りデバイス２０で検出した座標情報から使用しているページ番号を検出し、係数Ｐに現在使用しているページ番号を代入する（ステップｓ１９−８）。
【００６９】
ステップｓ１９−９で係数Ｐが変化があったか確認する。これは、同じページを使い続けた場合は、ｓ１９−７に戻り、変化があれば別のページを使用したことになるので、ステップｓ１９−１０に移る。そして、ステップｓ１９−１０で現在使用しているページ番号が、ステップｓ１９−３或はステップｓ１９−４で指定されたページに達しているかチェックする。達していなければ、再度ステップｓ１９−７に戻り、現時点のページを再検出してＰに代入する。
【００７０】
ステップｓ１９−１０で設定ページ以降を使用している場合は、ステップｓ１９−１１で使用しているページ番号を記憶する。ステップｓ１９−１２で設定ページ以降を使用した場合にカウントされる係数Ｋに１を加える。ステップｓ１９−１３では１度目の設定ページ以降の使用であるためＫ＝１となり、再度ステップｓ１９−７に戻る。ステップｓ１９−９でＰが変化した場合且つステップｓ１９−１０で設定ページ以降を使用している場合はＫ＝２となり、ステップｓ１９−１４に移行する。
【００７１】
例として、図１７のノートＩＤ＝０００００１の場合を考えると、設定ページは８０ページとなっているため８２ページを使用し、続けて８５ページを使用した場合等である場合、ステップｓ１９−１２で２度目以上の設定ページ以降の使用であると判断される。２度以上の設定ページ以降の仕様である場合は、たまたま設定ページ以降を使用した場合より精度良くページ切れの時期が近いことを検出することができる。ステップｓ１９−１３で情報付き用紙印刷許可がでたので、ステップｓ１９−１４で近傍の画像形成装置７０を検出し、ステップｓ１９−１４で画像形成装置７０から情報付き用紙の印刷を行う。
【図面の簡単な説明】
【００７２】
【図１】本発明を適用するのに好適な情報付き用紙の利用例を示す図である。
【図２】情報付き用紙の概念図である。
【図３】情報付き用紙のドット表現例を示す図である。
【図４】情報付き用紙のドット表現例を示す図である。
【図５】情報付き用紙の座標表現例を示す図である。
【図６】情報付き用紙の座標表現例を示す図である。
【図７】本発明を適用するのに好適なデジタル複合機の制御システム構成図である。
【図８】スキャナ概観図である。
【図９】プリンタ概観図である。
【図１０】スキャナ画像処理部の構成図である。
【図１１】プリンタ画像処理部の構成図である。
【図１２】本発明を適用するのに好適なデジタル複合機の操作部の構成図である。
【図１３】プリンタの断面図である。
【図１４】本発明の実施の形態１のフローチャートである。
【図１５】自動発注開始ページ設定のフォームの一例を示す図である。
【図１６】本発明の自動発注システムの構成図である。
【図１７】端末で記憶されているノートＩＤごとの自動発注開始ページの関係テーブルである。
【図１８】本発明の実施の形態２のフローチャートである。
【図１９】本発明の実施の形態３のフローチャートである。
【符号の説明】
【００７３】
１０  情報付き用紙
１００  コントローラユニット
１０３  ＣＰＵ
１０７  ＲＡＭ
１０８  ＲＯＭ
３００  プリンタ
３１０  フィニッシャ
４００  操作部
７００  スキャナ画像処理部
７０２  パターン検出前処理部
【図１】
2006174354.tif 000003
【図２】
2006174354.tif 000004
【図３】
2006174354.tif 000005
【図４】
2006174354.tif 000006
【図５】
2006174354.tif 000007
【図６】
2006174354.tif 000008
【図７】
2006174354.tif 000009
【図８】
2006174354.tif 000010
【図９】
2006174354.tif 000011
【図１０】
2006174354.tif 000012
【図１１】
2006174354.tif 000013
【図１２】
2006174354.tif 000014
【図１３】
2006174354.tif 000015
【図１４】
2006174354.tif 000016
【図１５】
2006174354.tif 000017
【図１６】
2006174354.tif 000018
【図１７】
2006174354.tif 000019
【図１８】
2006174354.tif 000020
【図１９】
2006174354.tif 000021